(57)【要約】  【課題】  バランスを利用するブラインドにおいて、少ない部品点数で且つ低コストで、意匠性に優れたものとする。  【解決手段】  装飾性を有するバランス１４の裏面にコードガイド２２、ストッパ３０といった昇降機構部品が取り付けられ、バランス１４の下部に遮蔽材１２の上端が取り付けられ、遮蔽材１２の下端に昇降コード２０の一端部が連結されて、昇降コード２０の他端部は遮蔽材１２に沿って前記コードガイド２２、ストッパ３０に導かれる。【選択図】  図３
2006314527.tif 000002
【特許請求の範囲】
【請求項１】
遮蔽材（１２）を昇降するブラインドであって、
装飾性を有するバランス（１４）の裏面に昇降機構部品（２２，２２’、３０）が取り付けられ、バランス（１４）の下部に前記遮蔽材（１２）の上端が取り付けられ、遮蔽材（１２）の下端に昇降コード（２０）の一端部が連結されて、昇降コード（２０）の他端部は遮蔽材（１２）に沿って前記昇降機構部品（２２，２２’、３０）に導かれることを特徴とするブラインド。
【請求項２】
前記バランス（１４）の裏面に該バランス（１４）の長手方向に直線状に伸びる溝（１４ａ）または凸部（１４ｂ）が形成され、該溝（１４ａ）または凸部（１４ｂ）に合わせて前記昇降機構部品（２２，２２’、３０）が取り付けられることを特徴とする請求項１記載のブラインド。
【請求項３】
前記バランス（１４）の裏面に長手方向に伸び開口面を有するレール（５０）が固定され、該レール（５０）に該開口面を通して前記昇降機構部品（２２，２２’、３０）が取り付けられることを特徴とする請求項１記載のブラインド。
【発明の詳細な説明】
【技術分野】
【０００１】
本発明は、遮蔽材を昇降するブラインドに関し、特にバランスを利用するブラインドに関する。
【背景技術】
【０００２】
従来、ブラインドにおいては、昇降機構部品を内蔵すると共に遮蔽材を支持する機能部品であるヘッドボックスを、装飾性を有するバランスによって覆い隠してブラインドの意匠性を高めることが行われている。
【０００３】
かかるブラインドにバランスを取り付けるための支持構造として、特許文献１に記載されたものが知られている。この特許文献１では、ブラケットを利用してバランスが固定されるバランス係着用レールを取り付けるようにしたもので、バランス係着用レールを上下一対の腕部を有する断面略コ字形に形成し、ブラケットの前面にバランス係着用レールの上下一対の腕部と嵌合し合う突起を設け、バランス係着用レールをブラケットの前面にスナップ嵌合によって組み付けており、これにより、ヘッドボックスの形状に制限されることなく、ヘッドボックスの前面側でバランスを簡便な作業で支持することができる。
【０００４】
しかしながら、以上のようにバランスを利用してブラインドの意匠性を高めるためには、バランスの他にバランス係着用レール及びブラケットを別途用意する必要がありコストがかかる、という問題がある。
【０００５】
【特許文献１】実公平７−５１５９８号公報
【発明の開示】
【発明が解決しようとする課題】
【０００６】
本発明はかかる課題に鑑みなされたもので、少ない部品点数で且つ低コストで、意匠性に優れたブラインドを提供することをその目的とする。
【課題を解決するための手段】
【０００７】
前述した目的を達成するために、請求項１記載の発明は遮蔽材を昇降するブラインドであって、装飾性を有するバランスの裏面に昇降機構部品が取り付けられ、バランスの下部に前記遮蔽材の上端が取り付けられ、遮蔽材の下端に昇降コードの一端部が連結されて、昇降コードの他端部は遮蔽材に沿って前記昇降機構部品に導かれることを特徴とする。
【０００８】
また、請求項２記載の発明は、請求項１記載の前記バランスの裏面に該バランスの長手方向に直線状に伸びる溝または凸部が形成され、該溝または凸部に合わせて前記昇降機構部品が取り付けられることを特徴とする。
【０００９】
請求項３記載の発明は、請求項１記載の前記バランスの裏面に長手方向に伸び開口面を有するレールが固定され、該レールに該開口面を通して前記昇降機構部品が取り付けられることを特徴とする。
【発明の効果】
【００１０】
本発明によれば、バランスに昇降機構部品を取り付けるようにすることで、ヘッドボックスを不要とすることができるために部品点数が少なく低コストで構成することができ、且つ装飾性を有するバランスによって意匠性の優れたブライドとすることができる。
【００１１】
請求項２記載の発明によれば、バランスの長手方向に直線状に伸びる溝または凸部に合わせて昇降機構部品が取り付けられることで、昇降機構部品を上下方向にずれることなく整列した状態でバランスに組み付けることができるようになる。
【００１２】
また、請求項３記載の発明によれば、バランスの裏面で長手方向に伸びるレールに昇降機構部品が取り付けられることで、昇降機構部品を上下方向にずれることなく整列した状態で組み付けることができるようになる。
【発明を実施するための最良の形態】
【００１３】
以下、図面を用いて本発明の実施の形態を説明する。
図１は本発明の実施形態にかかるブラインドの正面図であり、図２はその背面図である。図において、ブラインド１０は、昇降可能となった遮蔽材１２を有している。この例では、遮蔽材１２は主として生地及びウエイト部材で構成されているが、これに限るものではなく、ブラインドが横型ブラインドである場合には、多数の上下方向に整列に支持されるスラット及びボトムレールで構成することも可能である。
【００１４】
このブラインド１０では、従来必ず存在する機能部品としてのヘッドボックスは存在しておらず、その代わりに装飾性を有するバランス１４を有している。バランス１４は、基本的にはプレート状の部材からなり、例えばその正面が木目調または任意の模様が付されたり、任意の凹凸が刻設されたりしており、装飾性の優れたものとなっている。
【００１５】
バランス１４の下部には、遮蔽材１２の上端が取り付けられる。この例では、バランス１４の下部の裏面に面ファスナ１６が固着されており、該面ファスナ１６が遮蔽材１２の上端に固着された面ファスナ１８と着脱可能に接合することにより、遮蔽材１２がバランス１４によって支持される。
【００１６】
遮蔽材１２の裏面側には遮蔽材１２を昇降するための昇降コード２０が遮蔽材１２の幅方向に適宜間隔を空けて複数本配されており、各昇降コード２０の一端部は、遮蔽材１２の下端に連結される。そして、昇降コード２０は遮蔽材１２の裏面に設けられたコードリング２１を挿通して遮蔽材１２に沿って上方に向かい、バランス１４の裏面側の昇降機構部品へと導かれる。
【００１７】
即ち、バランス１４の裏面には、遮蔽材１２を昇降するための昇降機構部品が取り付けられており、この例では、昇降機構部品として、昇降コード２０を誘導するコードガイド２２と、昇降コード２０を締結可能で、昇降コード２０の拘束・解除の切替を行うストッパ３０とが該当している。
【００１８】
コードガイド２２は、昇降コード２０の本数に合わせて設けられ、ガイドケース２４と、ガイドケース２４に回転可能に軸支されたガイドローラ２６とからなり、ガイドケース２４に固定される固定金具２８を介してバランス１４にビス等によって固定される。また、ストッパ３０もそのケースが固定される固定金具３２を介してバランス１４の長手方向端部にビス等によって固定される。
【００１９】
複数の昇降コード２０は、コードガイド２２によって方向転換されて、バランス１４の長手方向に沿って誘導されて、ストッパ３０を通過した後、バランス１４から垂下されて、操作つまみ３４に連結される。操作つまみ３４は、補助コード３６によって遮蔽材１２の下端に連結される。
【００２０】
上記コードガイド２２とストッパ３０は、上下方向に整合してバランス１４に固定されることが必要であり、そのためバランス１４の裏面にはバランス１４の長手方向全体に亘り長手方向に直線状に伸びる溝１４ａが形成されており、該溝１４ａをガイドとして溝１４ａに合わせて固定金具２８及び３２がバランス１４に取り付けられる。任意には、固定金具２８及び３２の一部がそれぞれ溝１４ａ内に嵌合するようになっているとよい。さらに、固定金具２８及び３２の一部が溝１４ａを摺動可能となっており固定金具２８及び３２の長手方向位置を適宜調整可能となっているとよい。この溝１４ａにより、コードガイド２２とストッパ３０との直線性が確保される。
【００２１】
さらにバランス１４の裏面には下向きコ字形状をなしたブラインド取付用ブラケット３８が適当な間隔で複数個取り付けられており、該ブラインド取付用ブラケット３８の一辺部が、窓枠、壁面等の固定面４２に取り付けられたブラケット受け４０に設けられた受け口内に差し込まれることで、バランス１４が固定面４２に固定される（図３、４参照）。
【００２２】
以上のように構成されるブラインドにおいては、操作つまみ３４を操作して昇降コード２０を介してストッパ３０を解除させて昇降コード２０を移動可能とすることにより、通常のブラインドと同様に遮蔽材１２の昇降を行うことができる。また、正面から見た外観はバランス１４によって意匠性の優れたものとなる。遮蔽材１２を昇降するための昇降機構部品であるコードガイド２２やストッパ３０がバランス１４によって支持されており、ヘッドボックス及びヘッドボックスを固定するためのブラケットが不要となるので、部品点数が少なくてすみ、簡単な構成で安価に製造することができる。
【００２３】
図５は本発明のブラインドの第２の実施形態を表す背面図である。正面図は図１と同様であるので省略する。
【００２４】
この実施形態では、バランス１４の裏面に凸部１４ｂが形成されている。凸部１４ｂは、バランス１４の長手方向全体に亘り長手方向に直線状に伸びている。そして、昇降機構部品であるコードガイド２２’及びストッパ３０は、凸部１４ｂに合わせて凸部１４ｂにビス等により固定されている。また、固定面４２にブラケット４４が取り付けられており、ブラケット４４に凸部１４ｂを挿入してビス等で固定することにより、バランス１４が固定面４２に固定される（図６、７参照）。
【００２５】
このように凸部１４ｂによって、コードガイド２２’及びストッパ３０の直線性を確保することができ、第１実施形態と同様の作用効果を得られる。
【００２６】
図８は、本発明のブラインドの第３の実施形態を表す背面図である。正面図は図１と同様であるので省略する。
【００２７】
この実施形態では、バランス１４の裏面にレール５０が固定されている。該レール５０はバランス１４の長手方向に亘り伸びて、開口面を有しており、該開口面を通して昇降機構部品であるコードガイド２２’及びストッパ３０が取り付けられている。これらの昇降機構部品はレール５０に対してスナップ嵌合等により着脱可能に取り付けられているとよい（図９参照）。
【００２８】
このようにレール５０によって、コードガイド２２’及びストッパ３０の直線性を確保することもでき、第１実施形態と同様の作用効果を得られる。
【００２９】
尚、以上の例では、昇降機構部品としてコードガイド、ストッパを例示したが、これに限るものではなく、巻取ドラム、回転シャフト、プーリ、クラッチ等の任意の公知の昇降機構部品をバランス１４に取り付けることが可能である。
【図面の簡単な説明】
【００３０】
【図１】本発明の実施形態にかかるブラインドの正面図である。
【図２】図１のブラインドの背面図である。
【図３】図２の３−３線に沿って見た断面図であり、固定面に固定される前の状態を表す。
【図４】図３相当断面図であり、固定面に固定された後の状態を表す。
【図５】本発明のブラインドの第２の実施形態を表す背面図である。
【図６】図５の６−６線に沿って見た断面図であり、固定面に固定される前の状態を表す。
【図７】図６相当断面図であり、固定面に固定された後の状態を表す。
【図８】本発明のブラインドの第３の実施形態を表す背面図である。
【図９】図８の９−９線に沿って見た断面図である。
【符号の説明】
【００３１】
１０  ブラインド
１２  遮蔽材
１４  バランス
１４ａ  溝
１４ｂ  凸部
２０  昇降コード
２２、２２’  コードガイド（昇降機構部品）
３０  ストッパ（昇降機構部品）
５０  レール
【図１】
2006314527.tif 000003
【図２】
2006314527.tif 000004
【図３】
2006314527.tif 000005
【図４】
2006314527.tif 000006
【図５】
2006314527.tif 000007
【図６】
2006314527.tif 000008
【図７】
2006314527.tif 000009
【図８】
2006314527.tif 000010
【図９】
2006314527.tif 000011